【手続補正書】
【提出日】平成16年11月12日(2004.11.12)
【手続補正１】
【補正対象書類名】明細書
【補正対象項目名】発明の名称
【補正方法】変更
【補正の内容】
【発明の名称】場所指定の課金システムおよび情報処理サーバ
【手続補正２】
【補正対象書類名】明細書
【補正対象項目名】特許請求の範囲
【補正方法】変更
【補正の内容】
【特許請求の範囲】
【請求項１】
床に所定の間隔で配置され、それぞれ固有のＩＤデータを送信するＩＤタグと、
前記床上を移動するユーザに取り付けられ、前記ＩＤタグから送信されたＩＤデータを受信するＩＤリーダと、
前記ユーザが携帯し、ユーザに関する情報を出力するユーザ情報出力手段、および受信した自ユーザ宛ての課金情報を入力し所定の課金処理を行う課金処理手段を含む課金処理装置と、
前記ＩＤリーダで受信されたＩＤデータを入力し、そのＩＤデータと前記床上の空間位置を対応付けるマッピングテーブルを基に前記ユーザの位置情報に変換するＩＤデータ処理手段と、
課金領域と課金情報を対応付けて蓄積する課金情報データベースと、
前記ＩＤデータ処理手段で得られた各ユーザの位置情報および前記ユーザ情報出力手段から出力されたユーザ情報を入力し、入力したユーザの位置情報と前記課金情報データベースの課金領域とを照合し、当該ユーザが入っている課金領域に対応する課金情報を取り出し、その課金情報を当該ユーザが携帯する前記課金処理装置に送信する課金情報処理手段と
を備えたことを特徴とする場所指定の課金システム。
【請求項２】
請求項１に記載の場所指定の課金システムにおいて、
前記課金処理装置が前記ＩＤデータ処理手段を備え、
情報処理サーバが前記課金情報データベースおよび課金情報処理手段を備え、
各ユーザが携帯する課金処理装置がユーザ情報と位置情報を前記情報処理サーバに送信する構成である
ことを特徴とする場所指定の課金システム。
【請求項３】
請求項１に記載の場所指定の課金システムにおいて、
情報処理サーバが前記ＩＤデータ処理手段、課金情報データベースおよび課金情報処理手段を備え、
各ユーザが携帯する課金処理装置がＩＤリーダで受信されたＩＤデータおよびユーザ情報を前記情報処理サーバに送信する構成である
ことを特徴とする場所指定の課金システム。
【請求項４】
請求項１に記載の場所指定の課金システムにおいて、
前記課金処理手段は電子マネー情報を蓄積し、前記課金情報処理手段から受信した課金情報に応じて電子マネー情報に対する課金処理を行う構成である
ことを特徴とする場所指定の課金システム。
【請求項５】
床に所定の間隔で配置され、それぞれ固有のＩＤデータを送信するＩＤタグと、
前記床上を移動するユーザに取り付けられ、前記ＩＤタグから送信されたＩＤデータを受信するＩＤリーダと、
前記ユーザが携帯し、前記ＩＤリーダで受信されたＩＤデータを入力し、そのＩＤデータと前記床上の空間位置を対応付けるマッピングテーブルを基に前記ユーザの位置情報に変換するＩＤデータ処理手段、ユーザに関する情報を出力するユーザ情報出力手段、および受信した自ユーザ宛ての課金情報を入力し所定の課金処理を行う課金処理手段を含む課金処理装置と、
前記課金処理装置から、前記ＩＤデータ処理手段で得られた各ユーザの位置情報および前記ユーザ情報出力手段から出力されたユーザ情報を受信するとともに、課金情報を前記課金処理装置に送信する情報処理サーバと
を備えた場所指定の課金システムにおける、前記情報処理サーバであって、
課金領域と課金情報を対応付けて蓄積する課金情報データベースと、
前記課金処理装置から受信した各ユーザの位置情報およびユーザ情報を入力し、入力したユーザの位置情報と前記課金情報データベースの課金領域とを照合し、当該ユーザが入っている課金領域に対応する課金情報を取り出し、その課金情報を当該ユーザが携帯する前記課金処理装置に送信する課金情報処理手段と
を備えたことを特徴とする情報処理サーバ。
【請求項６】
床に所定の間隔で配置され、それぞれ固有のＩＤデータを送信するＩＤタグと、
前記床上を移動するユーザに取り付けられ、前記ＩＤタグから送信されたＩＤデータを受信するＩＤリーダと、
前記ユーザが携帯し、ユーザに関する情報を出力するユーザ情報出力手段、および受信した自ユーザ宛ての課金情報を入力し所定の課金処理を行う課金処理手段を含む課金処理装置と、
前記課金処理装置から、前記ＩＤリーダで受信されたＩＤデータおよび前記ユーザ情報出力手段から出力されたユーザ情報を受信するとともに、課金情報を前記課金処理装置に送信する情報処理サーバと
を備えた場所指定の課金システムにおける、前記情報処理サーバであって、
前記課金処理装置から受信したＩＤデータを入力し、そのＩＤデータと前記床上の空間位置を対応付けるマッピングテーブルを基に前記ユーザの位置情報に変換するＩＤデータ処理手段と、
課金領域と課金情報を対応付けて蓄積する課金情報データベースと、
前記ＩＤデータ処理手段で得られた各ユーザの位置情報および前記課金処理装置から受信したユーザ情報を入力し、入力したユーザの位置情報と前記課金情報データベースの課金領域とを照合し、当該ユーザが入っている課金領域に対応する課金情報を取り出し、その課金情報を当該ユーザが携帯する前記課金処理装置に送信する課金情報処理手段と
を備えたことを特徴とする情報処理サーバ。
【手続補正３】
【補正対象書類名】明細書
【補正対象項目名】０００７
【補正方法】変更
【補正の内容】
【０００７】
【課題を解決するための手段】
本発明の場所指定の課金システムは、床に所定の間隔で配置され、それぞれ固有のＩＤデータを送信するＩＤタグと、床上を移動するユーザに取り付けられ、ＩＤタグから送信されたＩＤデータを受信するＩＤリーダと、ユーザが携帯し、ユーザに関する情報を出力するユーザ情報出力手段、および受信した自ユーザ宛ての課金情報を入力し所定の課金処理を行う課金処理手段を含む課金処理装置と、ＩＤリーダで受信されたＩＤデータを入力し、そのＩＤデータと床上の空間位置を対応付けるマッピングテーブルを基にユーザの位置情報に変換するＩＤデータ処理手段と、課金領域と課金情報を対応付けて蓄積する課金情報データベースと、ＩＤデータ処理手段で得られた各ユーザの位置情報およびユーザ情報出力手段から出力されたユーザ情報を入力し、入力したユーザの位置情報と課金情報データベースの課金領域とを照合し、当該ユーザが入っている課金領域に対応する課金情報を取り出し、その課金情報を当該ユーザが携帯する課金処理装置に送信する課金情報処理手段とを備える。
【手続補正４】
【補正対象書類名】明細書
【補正対象項目名】０００８
【補正方法】変更
【補正の内容】
【０００８】
ここで、課金処理装置がＩＤデータ処理手段を備え、情報処理サーバが課金情報データベースおよび課金情報処理手段を備え、各ユーザが携帯する課金処理装置がユーザ情報と位置情報を情報処理サーバに送信する構成としてもよい。また、情報処理サーバがＩＤデータ処理手段、課金情報データベースおよび課金情報処理手段を備え、各ユーザが携帯する課金処理装置がＩＤリーダで受信されたＩＤデータおよびユーザ情報を情報処理サーバに送信する構成としてもよい。
【手続補正５】
【補正対象書類名】明細書
【補正対象項目名】０００９
【補正方法】変更
【補正の内容】
【０００９】
また、課金処理手段は電子マネー情報を蓄積し、課金情報処理手段から受信した課金情報に応じて電子マネー情報に対する課金処理を行う構成としてもよい。
また、本発明は、床に所定の間隔で配置され、それぞれ固有のＩＤデータを送信するＩＤタグと、床上を移動するユーザに取り付けられ、ＩＤタグから送信されたＩＤデータを受信するＩＤリーダと、ユーザが携帯し、ＩＤリーダで受信されたＩＤデータを入力し、そのＩＤデータと床上の空間位置を対応付けるマッピングテーブルを基にユーザの位置情報に変換するＩＤデータ処理手段、ユーザに関する情報を出力するユーザ情報出力手段、および受信した自ユーザ宛ての課金情報を入力し所定の課金処理を行う課金処理手段を含む課金処理装置と、課金処理装置から、ＩＤデータ処理手段で得られた各ユーザの位置情報およびユーザ情報出力手段から出力されたユーザ情報を受信するとともに、課金情報を課金処理装置に送信する情報処理サーバとを備えた場所指定の課金システムにおける、情報処理サーバであって、課金領域と課金情報を対応付けて蓄積する課金情報データベースと、課金処理装置から受信した各ユーザの位置情報およびユーザ情報を入力し、入力したユーザの位置情報と課金情報データベースの課金領域とを照合し、当該ユーザが入っている課金領域に対応する課金情報を取り出し、その課金情報を当該ユーザが携帯する課金処理装置に送信する課金情報処理手段とを備える。
また、本発明は、床に所定の間隔で配置され、それぞれ固有のＩＤデータを送信するＩＤタグと、床上を移動するユーザに取り付けられ、ＩＤタグから送信されたＩＤデータを受信するＩＤリーダと、ユーザが携帯し、ユーザに関する情報を出力するユーザ情報出力手段、および受信した自ユーザ宛ての課金情報を入力し所定の課金処理を行う課金処理手段を含む課金処理装置と、課金処理装置から、ＩＤリーダで受信されたＩＤデータおよびユーザ情報出力手段から出力されたユーザ情報を受信するとともに、課金情報を課金処理装置に送信する情報処理サーバとを備えた場所指定の課金システムにおける、情報処理サーバであって、課金処理装置から受信したＩＤデータを入力し、そのＩＤデータと床上の空間位置を対応付けるマッピングテーブルを基にユーザの位置情報に変換するＩＤデータ処理手段と、課金領域と課金情報を対応付けて蓄積する課金情報データベースと、ＩＤデータ処理手段で得られた各ユーザの位置情報および課金処理装置から受信したユーザ情報を入力し、入力したユーザの位置情報と課金情報データベースの課金領域とを照合し、当該ユーザが入っている課金領域に対応する課金情報を取り出し、その課金情報を当該ユーザが携帯する課金処理装置に送信する課金情報処理手段とを備える。